(57)【要約】【課題】ジョブメモリで設定された設定値を用いた画像処理を行う。【解決手段】制御部では、処理モードの指定を検出すると、検出した処理モードへ移行する（ステップ１００〜１０４）。また、ジョブメモリの呼び出しの指示を検出すると、予め登録されているジョブメモリのリストを表示する（ステップ１０６、１１０）。ここで、ジョブメモリの指定を検出すると、現在の処理モードが、ジョブメモリで設定されている処理モードと異なるか否かを確認し、異なるときには、ジョブメモリの設定値を、現在の処理モードの設定値に展開するか否かを確認する（ステップ１１２、１１４、１２２）。ここで、設定値の展開が指示されたことを検出すると、共通している処理項目の設定値を、ジョブメモリの設定値に設定し、設定した設定値での画像処理を可能とする（ステップ１２４、１２０）。【選択図】図６
2010157890.tif 000002
【特許請求の範囲】
【請求項１】
情報処理機能の実行のために設定される複数の設定項目と各設定項目の設定値とを対応付けた実行条件を記憶媒体に記憶する記憶手段と、
前記記憶媒体に記憶された前記実行条件を指定可能な指定手段と、
複数の前記情報処理機能から処理を実行する情報処理機能を指定する機能指定手段と、
前記指定された前記実行条件に含まれる前記設定項目のうち、前記指定された情報処理機能において設定可能な設定項目の前記設定値を、前記指定された前記情報処理機能の該当設定項目の設定値に設定する設定手段と、
前記設定手段によって設定された前記設定値に基づいて前記指定された情報処理機能を実行する実行手段と、
を含む情報処理装置。
【請求項２】
前記記憶手段が、さらに、前記設定項目に対する前記情報処理機能の種別を対応付けて前記実行条件を記憶することを特徴とする請求項１に記載の情報処理装置。
【請求項３】
前記設定手段が、前記機能指定手段によって指定された前記情報処理機能と、前記記憶手段に前記指定された前記実行条件に対応付けられた前記情報処理条件とが異なる場合に、両方の情報処理機能の間で共通の前記設定項目に対して、前記指定された実行条件に含まれる前記設定値を、前記指定された情報処理機能の設定値に設定することを特徴とする請求項２に記載の情報処理装置。
【請求項４】
コンピュータを、
情報処理機能の実行のために設定される複数の設定項目と各設定項目の設定値とを対応付けた実行条件を記憶媒体に記憶する記憶手段と、
前記記憶媒体に記憶された前記実行条件を指定可能な指定手段と、
複数の前記情報処理機能から処理を実行する情報処理機能を指定する機能指定手段と、
前記指定された前記実行条件に含まれる前記設定項目のうち、前記指定された情報処理機能において設定可能な設定項目の前記設定値を、前記指定された前記情報処理機能の該当設定項目の設定値に設定する設定手段と、
前記設定手段によって設定された前記設定値に基づいて前記指定された情報処理機能を実行する実行手段と、
して機能させる情報処理プログラム。
【発明の詳細な説明】
【技術分野】
【０００１】
本発明は、情報処理装置及び情報処理プログラムに関する。
【背景技術】
【０００２】
複写機能、画像読込み機能、ファクシミリ通信機能などの画像に対する複数の情報処理機能（以下、画像処理機能とする）を備えた画像処理装置では、画像処理機能及び画像処理機能に対する各種の処理項目の設定がなされることにより、該当設定に基づいた画像処理を行う。
【０００３】
このような画像処理装置では、画像処理機能及び、画像処理機能に対する各種の処理項目の設定値（パラメータ）を予め設定して、該当パラメータの設定を読み出すことにより、処理機能および処理機能に対する各種のパラメータに基づいた処理が可能となる提案がなされている（例えば、特許文献１、特許文献２、特許文献３参照。）。
【０００４】
ところで、このような画像処理装置では、例えば、複写機能を用いて原稿画像を複写したときのパラメータを用いて、ファクシミリ送信を行うために、ファクシミリ機能を選択した後に、各項目のパラメータを設定するようになっている。
【特許文献１】特開平３−１２３９２５号公報
【特許文献２】特開平４−６７１６８号公報
【特許文献３】特開２００４−２６６４６６号公報
【発明の開示】
【発明が解決しようとする課題】
【０００５】
本発明は、何れかの情報処理機能で設定した設定項目の設定値を、他の情報処理機能の設定値として利用することが可能な情報処理装置及び情報処理プログラムを提供することを目的とする。
【課題を解決するための手段】
【０００６】
本発明の情報処理装置は、情報処理機能の実行のために設定される複数の設定項目と各設定項目の設定値とを対応付けた実行条件を記憶媒体に記憶する記憶手段と、前記記憶媒体に記憶された前記実行条件を指定可能な指定手段と、複数の前記情報処理機能から処理を実行する情報処理機能を指定する機能指定手段と、前記指定された前記実行条件に含まれる前記設定項目のうち、前記指定された情報処理機能において設定可能な設定項目の前記設定値を、前記指定された前記情報処理機能の該当設定項目の設定値に設定する設定手段と、前記設定手段によって設定された前記設定値に基づいて前記指定された情報処理機能を実行する実行手段と、を含む。
【０００７】
また、請求項２の発明は、請求項１の発明において、前記記憶手段が、さらに、前記設定項目に対する前記情報処理機能の種別を対応付けて前記実行条件を記憶する。
【０００８】
請求項３の発明は、請求項２の発明において、前記設定手段が、前記機能指定手段によって指定された前記情報処理機能と、前記記憶手段に前記指定された前記実行条件に対応付けられた前記情報処理条件とが異なる場合に、両方の情報処理機能の間で共通の前記設定項目に対して、前記指定された実行条件に含まれる前記設定値を、前記指定された情報処理機能の設定値に設定する。
【０００９】
さらに、請求項４の発明は、コンピュータを、情報処理機能の実行のために設定される複数の設定項目と各設定項目の設定値とを対応付けた実行条件を記憶媒体に記憶する記憶手段と、前記記憶媒体に記憶された前記実行条件を指定可能な指定手段と、複数の前記情報処理機能から処理を実行する情報処理機能を指定する機能指定手段と、前記指定された前記実行条件に含まれる前記設定項目のうち、前記指定された情報処理機能において設定可能な設定項目の前記設定値を、前記指定された前記情報処理機能の該当設定項目の設定値に設定する設定手段と、前記設定手段によって設定された前記設定値に基づいて前記指定された情報処理機能を実行する実行手段と、して機能させる。
【発明の効果】
【００１０】
請求項１及び請求項４の発明によれば、何れかの情報処理機能に対する設定値が設定されている実行条件を用いて、他の情報処理機能の設定値を設定することが可能となる。
【００１１】
また、請求項２の発明によれば、記憶されている実行条件の設定項目及び設定値が、どの情報処理機能のために設定された設定項目の設定値であるかを把握することができる。
【００１２】
さらに、請求項３の発明によれば、登録する際の情報処理機能と、再利用する際の情報処理機能が異なっていても、適切な設定値の利用が可能となる。
【発明を実施するための最良の形態】
【００１３】
以下に図面を参照しながら本発明の実施の形態を説明する。
【００１４】
〔第１の実施の形態〕
本実施の形態では、情報処理装置として複合機１０を用いている。図１には、この複合機１０が示されている。複合機１０は、ネットワークなどの通信網を介して入力されるデータを受信して、受信したデータに基づいて記録紙などの画像形成媒体に画像を形成するプリント機能、原稿に記録された画像を記録紙に形成する複写機能、原稿に記録された画像を読み込んで該当画像のデータを生成するスキャナ機能及び、原稿に記録された画像を読み込んで電話回線などの通信手段を介して送信するファクシミリ機能などの複数の情報処理機能を備えている。ここで、複合機１０では、ユーザが操作して画像処理を行う情報処理機能として、複写機能、スキャナ機能及びファクシミリ機能を備えている。
【００１５】
複合機１０には、装置上部に原稿読取部１２が設けられ、原稿読取部１２の下方に画像形成部１４が配置されている。原稿読取部１２は、原稿カバー１６内に原稿搬送部１８を備えている。原稿搬送部１８は、原稿カバー１６に設けられたフィーダトレイ１６Ａに装填された原稿２０を順に引き込んで図示しないプラテンガラス上へ搬送する。原稿読取部１２では、このプラテンガラス上に搬送された原稿２０に記録された画像を読み込んで、画像に応じた画像データを生成する。また、原稿搬送部１８は、画像読み取りの終了した原稿２０を原稿排出トレイ１６Ｂ上へ排出する。
【００１６】
また、原稿読取部１２には、ユーザによる各種の操作入力を可能とするユーザインターフェイス２２が設けられている。このユーザインターフェイス２２は、各種の情報の表示が行われると共にソフトウェアプログラムによって情報の入力を実現する表示ボタンが表示されるタッチパネル式のディスプレイ２４と、テンキーやスタートキーなどのハードウェアキー２６と、を含んでいる。ユーザインターフェイス２２は、ディスプレイ２４の表示ボタンや、ハードウェアキー２６によって、例えば、複写機能を用いるときの倍率、ファクシミリ機能を用いるときの通信先の電話番号などの各種の情報が入力されることにより、入力された情報が複合機１０で検出される。
【００１７】
画像形成部１４は、画像形成媒体として用いている記録紙が収容される給紙トレイ２８を備えている。画像形成部１４では、給紙トレイ２８から記録紙を１枚ずつ取り出し、この記録紙を搬送しながら例えば電子写真プロセスによって画像データに応じた画像を形成する。また、画像形成部１４では、画像形成の終了した記録紙を、図示しない排紙トレイ上へ排出する。
【００１８】
図２には、複合機１０に設けられている制御部３０の要部構成が示されている。複合機１０の制御部３０には、装置全体の動作を司るＣＰＵ（中央情報処理装置）３２と、各種のデータが一時的に格納されるＲＡＭ（Random  Access  Memory）３４と、装置全体を制御する制御プログラムを含む各種のプログラムやデータが記憶されるＲＯＭ（Read  Only  Memory）と、各種のデータやプログラムが記憶されるＨＤＤ（Hard  Disk  Drive）と、が含まれ、これらがシステムバスなどのバス（Bus）４０によって接続された一般的構成のコンピュータが形成されている。
【００１９】
なお、ＣＰＵ３２で実行される各種のプログラムや、ＣＰＵ３２での処理に用いられるデータなどは、ＲＯＭ３６、ＨＤＤ３８に格納されているものであってもよいが、ネットワークなどの通信網、通信回線を介して装置外部からデータ信号として受信されるものであっても良く、ＤＶＤ−ＲＯＭなどのコンピュータで読み取り可能な記憶媒体に格納された状態で提供されるものであっても良い。
【００２０】
制御部３０には、ユーザインターフェイス２２に接続され、ユーザインターフェイス２２のディスプレイ２４への各種の情報及び操作画面の表示を制御する表示制御部４２と、ユーザインターフェイス２２に接続され、ディスプレイ２４やハードウェアキー２６の操作として入力される操作指示を検出する操作入力検出部４４とを備え、これらがバス４０に接続されている。
【００２１】
また、制御部３０には、原稿読取部１２による光学的な画像の読み取り動作及び、原稿搬送部１８による原稿送り動作を制御する読取制御部４６と、画像形成部１４による画像形成処理を制御する画像形成制御部４８とを備えている。また、制御部３０は、ネットワーク（通信網）５０に接続され、ネットワーク５０に接続された画像処理端末との間で通信データの送受信を行うネットワークインターフェイス（ネットワークＩ／Ｆ）部５２と、電話回線などの通信回線５４に接続され、通信回線５４に接続されているファクシミリ機能を備えた他のファクシミリ装置との間でファクシミリデータの送受信を行うファクシミリインターフェイス（ファクシミリＩ／Ｆ）部５６とを備えている。
【００２２】
制御部３０では、表示制御部４２を介したユーザインターフェイス２２のディスプレイ２４への操作画面の表示及び、各種のメッセージなどの情報の表示制御と、読取制御部４６を介した原稿搬送部１８を含む原稿読取部１２の作動制御と、画像形成制御部４８を介した画像形成部１４の作動の制御と、ネットワークインターフェイス部５２を介した通信データの送受信の制御と、ファクシミリインターフェイス部５６を介したファクシミリデータの送受信の制御とを行う。また、制御部３０では、ＣＰＵ３２が、操作入力検出部４４によって検出される操作情報に基づくユーザインターフェイス２２における操作内容の把握が行われ、この操作内容に基づく各種の制御が行われる。
【００２３】
このように構成されている複合機１０では、ディスプレイ２４に複写機能を選択するコピーボタン、スキャナ機能を選択するスキャナボタン及び、ファクシミリ機能を選択するファックスボタンが含まれるメニュー画像が表示され、このメニュー画面から、何れかのボタンが操作されたことを検出すると、検出したボタン操作に応じた情報処理機能を実行する。
【００２４】
例えば、複合機１０では、コピーボタンの操作が検出されるとコピー機能（複写機能）を実行するコピーモードに移行にする。このときに、制御部３０では、ディスプレイ２４にコピーモード用の操作画面が表示され、この操作画面上で、複写枚数、倍率、記録紙サイズ、カラーモードか白黒モードかの各種の設定項目に対する設定値の設定（以下、パラメータの設定とする）がなされる。この後に、制御部３０では、スタートボタンの操作が検出されると、原稿２０に記録された画像を読み込んで、読み込んだ画像を記録紙に形成する。
【００２５】
また、制御部３０では、ファックスボタンが操作されたことを検出するとファクシミリ機能（ファクシミリ送信）を実行するファクシミリモードへ移行し、スキャナボタンが操作されたことを検出するスキャナ機能を実行するスキャナモードへ移行する。なお、複合機１０のコピーモード、ファクシミリモード及びスキャナモードでの画像処理は、公知の構成を適用される。
【００２６】
一方、複合機１０では、予め情報処理機能及び、情報処理機能に対する各種の設定項目のパラメータ（設定値）を設定し、これらを一括した設定情報を実行条件として、ユーザからの指示によりＨＤＤ３８等の記憶媒体に格納される。なお、以下では、この情報処理機能に基づく処理を実行するために設定する、複数の設定項目とその設定値の組み合わせを実行条件として記憶されるものとして説明する。この実行条件は、コピー機能（コピーモード）、ファクシミリ機能（ファクシミリモード）、スキャナ機能（スキャナモード）の何れかの情報処理機能（処理モード）と、その情報処理機能に適用する設定項目のパラメータ（設定値）が設定されている。このような複数の設定項目とその設定値のセットとしての実行条件を、再利用するために登録しておくような機能をジョブメモリと呼ぶ場合がある。また、登録した実行条件自体もジョブメモリと呼ぶ場合がある。
【００２７】
すなわち、ユーザは、複数の情報処理機能のうちの何れかの情報処理機能を実行するにあたって、設定が必要な設定項目の設定値を入力・設定する。複数の設定項目に対して設定値を入力した場合に、後日、同じ設定を際利用したい場合には、複数の設定項目及び各設定項目の設定値の組み合わせからなる実行条件を、ＨＤＤ３８等に格納しておく。その際には、全ての設定項目を格納するのではなく、再利用を望む設定項目だけを選択して、選択された設定項目とその設定値を実行条件として記憶しておいても良い。さらに、このような情報処理機能に対する設定項目を登録する際に、何れの情報処理機能を実行するための条件であったかを、実行条件として記憶するようにしても良い。
【００２８】
例えば、コピー機能を利用するために、コピー機能の設定項目として、複写倍率、読み込み原稿の片面／両面設定、濃度を設定したとする。そのうえで、このときの実行条件として、この場合には、複写倍率、片面／両面設定、濃度を、それぞれの設定値（パラメータ）と共にジョブメモリ（実行条件）として記憶される。このときに、記憶されるジョブメモリ（実行条件）がコピー機能のための設定であることを一緒に記憶しておいても良い。
【００２９】
後日、同様の設定により、再度、コピー機能を利用したいユーザは、このときに記憶しておいたジョブメモリ（実行条件）を読み出し、設定項目ごとのパラメータに反映することで、同様のパラメータによって同じ出力が得られるようになる。再利用するに当たり、記憶しておいた実行条件呼び出されて処理に反映されるが、それ以外の設定項目については、その都度、ユーザが任意に設定することができても良い。さらに、呼び出された設定項目のパラメータについても、一旦、パラメータを反映した後で、ユーザにより設定変更が入力された場合には、新たに入力されたパラメータが反映されるものであっても良い。
【００３０】
図３には、コピーモード、ファクシミリモード、スキャナモードのそれぞれに対する設定項目が示されている。複合機１０では、コピーモード及びスキャナモードで、倍率設定、原稿の画質設定、濃度設定、シャープネス設定、読み込み原稿２０の片面／両面の設定、原稿サイズ入力、わく消し設定、ページ連写設定、カラーモード設定、原稿２０の地色除去設定などの設定項目に対する設定が可能であり、これらの設定項目が共通した設定項目となっている。また、コピーモードでは、これに加えて、記録紙への出力に対する設定項目として、アノテーション設定、ステープル設定、サンプルコピー設定、両面／片面出力設定などがあり、これらに対するパラメータの設定が可能となっている。
【００３１】
また、複合機１０では、ファクシミリモードで、倍率設定、原稿の画質設定、コピーモードの原稿濃度に対応する送信濃度設定、コピーモードの片面／両面設定に対応する両面原稿送り設定、コピーモードの原稿サイズに対応する読み取りサイズなどの設定項目の各パラメータの設定が可能となっており、これらの設定項目が共通した設定項目とみなすことができる。
【００３２】
ジョブメモリには、これらの設定項目ごとのパラメータが設定される。制御部３０では、登録されたジョブメモリを、呼び出す操作が検出されると、ジョブメモリのリストをディスプレイ２４に表示する。
【００３３】
図４には、ディスプレイ２４上にジョブメモリを表示するグラフィカルユーザーインターフェイス（Graphical  User  Interface：ＧＵＩ）６０の一例を示している。ＧＵＩ６０では、ジョブメモリのリストとして、登録番号と登録名称が表示され、番号ボタン６２を操作することにより、対応するジョブメモリが選択される。なお、ジョブリストが複数画面に亘るときには、アップボタン６２Ａ、ダウンボタン６２Ｂを操作することにより、表示されるジョブメモリが切り換るなどの構成を適用することができる。
【００３４】
ジョブメモリのリストを呼び出す操作は、例えば、ユーザインターフェイス２２のディスプレイ２４にソフトウェアキーとして表示してもよく、また、ハードウェアキー２６として設けているものであっても良い。ディスプレイ２４に表示するソフトウェアキーを用いるときには、コピーモード、スキャナモード、ファクシミリモードの何れかを選択可能にディスプレイ２４に表示されるメインメニュー又は、コピーモード、スキャナモード、ファクシミリモードの何れかが選択されたときに、選択されたモードに応じてディスプレイ２４に表示される設定メニュー上に、リスト表示用のボタンが表示されるものであればよい。本実施の形態では、一例としてハードウェアキー２６を用いて説明する。
【００３５】
ユーザインターフェイス２２にジョブメモリを呼び出すハードウェアキー２６Ａ（図５（Ｂ）参照）が設けられているときには、例えば、ディスプレイ２４に表示するメインメニューとして、図５（Ａ）に示されるＧＵＩ６４を用いることができる。
【００３６】
このＧＵＩ６４では、コピーモードを選択するコピーボタン６６、ファクシミリモードを選択するファックスボタン６８、スキャナモードを選択するスキャナボタン７０などが表示される。なお、複合機１０では、スキャナモードで読み込んだ原稿２０の画像（画像データ）に対する処理として、複合機１０のＨＤＤ３８に保存するボックス保存と、指定された画像処理端末（パーソナルコンピュータなど）へ電子メールの添付ファイルとして送信するメール送信、指定された画像処理端末へ転送するＰＣ保存が可能となっており、スキャナボタン７０としてスキャナボタン７０Ａ、７０Ｂ、７０Ｃが表示される。
【００３７】
また、図５（Ｂ）には、図５（Ａ）のＧＵＩ６４でスキャナボタン７０Ａが操作されたときのディスプレイ２４の表示の一例とするＧＵＩ７２が示されている。このＧＵＩ７２では、宛先名となる電子メールアドレス（以下、メールアドレスとする）の入力が可能となっている。なお、メールアドレスは、宛先表ボタン７４Ａの操作によって予め設定されて記憶されている宛先表からの選択が可能であり、また、キーボードボタン７４Ｂの操作によってハードウェアキー２６又は、ディスプレイ２４に例えばポップアップメニューとして表示するソフトウェアキーを用いた入力が選択される。
【００３８】
このＧＵＩ７２には、複数のタブ７６（ここでは一例としてタブ７６Ａ、７６Ｂ、７６Ｃ、７６Ｄ、７６Ｅ）が設けられており、複合機１０では、タブ７６Ａ〜７６Ｅを選択しながら、それぞれのタブ７６で表示される設定項目に対する設定値の設定が可能となっている。
【００３９】
ここで、複合機１０では、図５（Ｂ）のＧＵＩ７２が表示されているときに、ハードウェアキー２６に設けているジョブメモリボタン２６Ａが操作されたことを検出すると、登録済みのジョブリストのＧＵＩ６０（図４参照）が表示され、予めジョブメモリに登録している設定値を用いた処理が可能となる。
【００４０】
ところで、ジョブメモリは、情報処理機能（以下、処理モード）を指定して、指定した処理モードに対する設定項目の設定値を設定するようになっている。ここで、複合機１０では、ジョブメモリで指定されている処理モードと異なる処理モードに対して、ジョブメモリの設定値を適用することができるようになっている。
【００４１】
すなわち、複合機１０では、コピーモードとして登録されたジョブメモリを用いて、このジョブメモリで設定されている設定値を、ファクシミリモード又はスキャナモードに適用されるように設定値の展開を行うようになっている。
【００４２】
例えば、図３に示されるように、コピーモードとファクシミリモードとでは、倍率設定、原稿の画質設定、濃度設定、両面片面設定（両面原稿送り設定）、原稿サイズ入力設定（読み取りサイズ設定）の設定項目が共通している。また、コピーモードとスキャナモードとでは、倍率設定、原稿の画質設定、濃度設定、シャープネス設定、両面片面設定（両面原稿送り設定）、原稿サイズ入力設定（読み取りサイズ設定）、わく消し設定、ページ連写設定、カラーモード設定、地色除去設定の設定項目が共通している。
【００４３】
ここから、複合機１０に設けている制御部３０では、異なる処理モードの間で共通していると見なせる設定項目に対する設定値の設定を共通して利用するように展開処理を行うようにしている。
【００４４】
ここで、第１の実施の形態のおけるジョブメモリを用いた画像処理を説明する。
【００４５】
図６には、このときの画像処理の概略を示している。制御部３０では、ユーザインターフェイス２２のディスプレイ２４にメインメニューとなるＧＵＩ６４を表示し（ステップ１００）、ここから、ステップ１０２で何れかの処理モードが指定されたこをと検出すると、ステップ１０４で、指定された処理モードの操作画面（例えば、ＧＵＩ７２）を表示し、指定された処理モードへ移行する。
【００４６】
この後、ステップ１０６では、ハードウェアキー２６として設けているジョブメモリボタン２６Ａが操作されたことを検出したか否かを確認する。このときに、ジョブリストボタン２６Ａの操作が検出されなければ、ステップ１０６で否定判定してステップ１０８へ移行する。このステップ１０８では、マニュアル設定での各設定項目に対する設定値が設定されることにより、設定された設定値を用いた画像処理を実行する。
【００４７】
また、ジョブメモリボタン２６Ａが操作されたことを検出したときには、ステップ１０６で肯定判定されてステップ１１０へ移行し、登録されているジョブメモリのリスト（ＧＵＩ６０）を表示する。
【００４８】
ここで、ジョブメモリの表示が選択されたが、何れのジョブメモリも指定されず、キャンセル（リスト表示のキャンセル）されるなどしたときには、ステップ１１２で否定判定されてステップ１０８へ移行し、通常処理を実行する。
【００４９】
これに対して、いずれかのジョブメモリが指定されたことを検出すると、ステップ１１０で肯定判定してステップ１１４へ移行する。このステップ１１４では、現在の処理モードと、選択されたジョブメモリで設定されている処理モードとが同じか否かを確認する。すなわち、ステップ１０４でコピーモードへ移行したときに、コピーモードに設定されているジョブメモリが指定されると、ステップ１１４で肯定判定してステップ１１６へ移行する。
【００５０】
このステップ１１６では、ジョブメモリで設定されている設定値を、そのまま、画像処理を行う設定値として設定し、設定した設定値に基づいた画像処理を実行する（ステップ１１８）。
【００５１】
これに対して、現在の処理モードと、指定したジョブメモリで設定されている処理モードと異なるときには、ステップ１１４で否定判定してステップ１２２へ移行する。このステップ１１２では、現在の処理モードの設定値として、ジョブメモリに登録されている設定項目と共通する設定項目の設定値（共通パラメータ）を適用するか否かの確認を促す表示を、ディスプレイ２４に表示し、設定値の展開指示が入力されたか否かを確認する。
【００５２】
例えば、複合機１０がスキャナモードに移行しているときに、図４のＧＵＩ６０上の１番に登録されているコピージョブのジョブメモリが指定されたときには、メモリジョブに登録された設定項目の設定値をスキャナモードで適用するか否かの確認を促す。図７（Ａ）及び図７（Ｂ）には、このときにディスプレイ２４に表示する確認画面の一例を示している。なお、この確認画面は、ポップアップ表示などでジョブリストに重ねて表示するなどの表示方法を適用することができる。
【００５３】
図７（Ａ）に示される、ＧＵＩ７８では、ジョブメモリをスキャナモードに展開するか否かのメッセージを表示すると共に、展開を指示するボタン８０Ａと、指定をキャンセルするボタン８０Ｂが表示される。また、図７（Ｂ）に示されるＧＵＩ８２では、パラメータが展開される設定項目を示すメッセージを表示している。
【００５４】
ここで、ボタン８０Ａが操作されたことを検出すると、図６では、ステップ１２２で肯定判定されてステップ１２４へ移行する。このステップ１２４では、ジョブメモリで設定されている設定値を、スキャンモードのパラメータとして展開し、スキャンモードの設定項目の設定値を設定する。
【００５５】
これにより、例えば、図５（Ｂ）に示されるように、スキャンモードの初期値として、カラーモードが白黒（２階調）、両面原稿送りが片面、原稿画質が文字、出力ファイル形式がＴＩＦＦと設定されているときに、図５（Ｃ）に示されるように、指定されたジョブメモリのパラメータに基づいて、カラーモードがフルカラー、両面原稿送りが片面、原稿画質が文字／写真、出力ファイル形式がＰＤＦなどとして設定される。
【００５６】
図６のフローチャートでは、この後、ステップ１２０へ移行して、設定した設定値を用いた処理が行われるようにする。なお、実際の処理においては、ＧＵＩ７２上で、パラメータを変更して使用することができる。
【００５７】
なお、ＧＵＩ７８、８２でボタン８０Ｂの操作が検出されたときには、ステップ１２２で否定判定されてステップ１０８へ移行するようにしているが、これに限らず、例えば、ステップ１１０へ移行して、新たなジョブメモリの指定を促すようにし、新たなジョブメモリの指定がなされなかったときに、ステップ１０８へ移行するものであっても良い。また、図７（Ｃ）に示すＧＵＩ７８Ａのように、ボタン８０Ｃを設けて、このボタン８０Ｃが操作されたことを検出したときに、指定したジョブメモリで設定されている処理モード（ここでは、コピーモード）に切替えられるようにしても良い。
【００５８】
〔第２の実施の形態〕
次に、本発明の第２の実施の形態を説明する。なお、第２の実施の形態において、前記した第１の実施の形態と同等の構成には、同じ符号を付与してその説明を省略する。
【００５９】
前記した第１の実施の形態では、処理モードが指定された状態でジョブメモリを指定したときの流れを説明したが、第２の実施の形態では、ジョブメモリを指定したときに、指定したジョブメモリの設定値を適用する処理モードを指定するときを例に説明する。
【００６０】
図８には、このときの画像処理の一例を示している。このフローチャートは、処理モードの指定に先立って、ステップ１３０でジョブメモリを指定するメニュー画面が表示されることにより実行される。
【００６１】
図９（Ａ）には、このメニュー画面の一例としてディスプレイ２４に表示されるＧＵＩ８４が示されている。このＧＵＩ８４には、ソフトウェアキーとしてジョブメモリボタン８６が設けられており、このＧＵＩ８４上でジョブメモリボタン８６の操作が検出されることにより、登録されているジョブメモリのリストが表示される。
【００６２】
図８のフローチャートでは、ジョブメモリボタン８６が操作されたことを検出すると、ステップ１３２でジョブメモリのリストを表示する。
【００６３】
図９（Ｂ）には、このジョブリストの一例としてディスプレイ２４に表示するＧＵＩ６０Ａが示されている。第２の実施の形態では、ジョブメモリから処理モードを指定するようにしており、ＧＵＩ６０Ａには、ジョブメモリで設定されている処理モードを指定する場合と、ジョブメモリで設定されている処理モード以外の処理モードを指定する場合とで操作が異なることを示すメッセージが表示されている。
【００６４】
なお、ここで、本実施の形態では、一例として、そのまま、番号ボタン６２を操作してジョブメモリを指定したときには、ジョブメモリで設定されている処理モードへ移行するようにし、また、ハードウェアキー２６とし設けている♯キー２６Ｂをファンクションキーとして、♯キー２６Ｂを操作しながら又は♯キー２６Ｂを操作した後に番号ボタン６２を操作してジョブメモリを指定することより、指定したジョブメモリで設定されている設定値を展開する処理モードを指定できるようにしている。
【００６５】
図８のフローチャートでは、ステップ１３４で他の処理モードへの展開する指示が検出されたか否かを確認する。このときに、ジョブメモリに登録されている処理モードでの処理を行うようにジョブメモリが指定されたことを検出すると、ステップ１３４で否定判定してステップ１３６へ移行する。このステップ１３６は、前記した図６のステップ１０８に相当し、指定されたジョブメモリに登録されている処理モードに移行し、ジョブメモリに登録されている設定値に基づいた画像処理を実行可能とする。
【００６６】
これに対して、他の処理モードに展開する指示が検出されると、ステップ１３４で肯定判定してステップ１３８へ移行する。このステップ１３６では、設定値を展開する処理モードの指定を要求する。
【００６７】
図１０（Ａ）には、このときにディスプレイ２４に表示する選択画面の一例とするＧＵＩ８８が示されている。なお、図１０（Ａ）では、図９（Ｂ）のＧＵＩ６０で表示される１番に登録されているコピーモードのジョブメモリを指定したものとしている。
【００６８】
このＧＵＩ８８には、ソフトウェアキーとしてコピーボタン９０Ａ、ファックスボタン９０Ｂ、スキャンボタン９０Ｃが表示され、これに加えて、取り消しボタン９０Ｄが表示されている。このときに、指定したジョブメモリがコピーモードのジョブメモリであることから、ＧＵＩ８８では、コピーボタン９０Ａの操作ができないようにしており、ファックスボタン９０Ｂ又はスキャンボタン９０Ｃの操作によって展開先の処理モードが指定される。なお、取り消しボタン９０Ｄの操作が検出されたときには、ジョブメモリのリスト画面（ＧＵＩ６０Ａ）へ戻る。また、このＧＵＩ８８は、ポップアップ画面として表示されるものであっても良い。
【００６９】
図８のフローチャートでは、ステップ１４０で処理モードの指定が検出されたか否かを確認し、処理モードの指定操作が検出されると、ステップ１４０で肯定判定してステップ１４２へ移行する。
【００７０】
このステップ１４２では、ジョブメモリに登録されている設定値を、指定された処理モードへ展開するか否かの確認画面を表示し、パラメータの展開指示を検出したか否かを確認する。
【００７１】
ここで、設定値の展開指示がなされたことを検出するとステップ１４２で肯定判定してステップ１４４へ移行する。このステップ１４４では、ジョブメモリに登録されている設定値のうち、展開先の処理モードで適用可能な設定項目の設定値を、展開先の処理モードの設定項目の設定値として設定する。すなわち、ジョブメモリに登録されている処理モードと、展開先とする処理モードとの間で、共通している設定項目（共通項目）に対する設定値が展開される。また、ステップ１４６では、指定された処理モードでの画像処理が可能となるようにする。なお、このステップ１４４、１４６は、図６のステップ１２４、１２０の処理に相当する。
【００７２】
図１０（Ｂ）には、展開確認画面の一例としてディスプレイ２４に表示するＧＵＩ８２Ａを示している。このＧＵＩ８２Ａには、ボタン８０Ａ及びボタン８０Ｂが表示され、設定値の展開を指示するか（ボタン８０Ａ）、処理の取り消しを行うか（ボタン８０Ｂ）の選択を可能としている。なお、図１０（Ｂ）では、ファクシミリモードが指定された場合を示している。
【００７３】
図１１には、ジョブメモリのパラメータが展開された一例とするファクシミリモードの操作画面とするＧＵＩ９２を示している。このＧＵＩ９２では、複数のタブ９４（ここでは、タブ９４Ａ、９４Ｂ、９４Ｃ、９４Ｄ）が設けられ、タブ９４ごとに分類されている設定項目に対する設定値の設定が可能となっている。
【００７４】
ここで、ＧＵＩ９２では、ジョブメモリに登録された設定値が展開されることにより、初期値に対する設定が、送信濃度設定が普通（中間）から僅かに濃く設定され、原稿画質設定が文字から文字／写真に設定され、さらに、送信画質設定が普通から高画質に設定された状態を示している。なお、設定された設定値は、ＧＵＩ９２上で変更することができる。
【００７５】
このように、本発明の情報処理装置として適用した複合機１０では、実行条件であるジョブメモリと、情報処理機能である処理モードが指定されたことが検出され、かつ、指定された処理モードとジョブメモリで設定されている処理モードが異なるときに、ジョブメモリに登録されている設定値を、指定された処理モードの設定値として展開して、指定された処理モードの設定項目の設定値として設定する。
【００７６】
このとき、指定された処理モードと、ジョブメモリで設定されている処理モードとで共通している設定項目の設定値を、指定された処理モードの該当設定項目の設定値として設定するように設定値の展開を行うことができる。
【００７７】
このようにして設定された設定値を用いることにより、例えば、コピーモードに設定されたジョブメモリの設定値を用いて原稿２０を複写したときとの仕上がりが得られるように、スキャンモードによる画像データの保存、ファクシミリモードによる原稿画像の送信を行うことができる。
【００７８】
複合機１０では、ジョブメモリを、ジョブメモリに設定されている処理モードと異なる処理モードに適用するように指定することにより、ジョブメモリに登録されている設定値を、指定した処理モードに展開する。
【００７９】
また、複合機１０では、処理モードが指定されている状態で、処理モードの設定が指定されている処理モードと異なるジョブメモリを指定したときに、指定したジョブメモリの設定値を、指定されている処理モードに展開する。
【００８０】
これにより、ジョブメモリの設定値を用いて、他の処理モードにおける処理を実行するための設定をすることが可能となる。
【００８１】
なお、以上説明した本実施の形態では、電子写真プロセスを用いて画像を形成する複合機１０を例に説明したが、本発明は、これに限らず、公知の方法で画像形成を行う画像処理装置に適用することができる。
【００８２】
また、本実施の形態では、複写機能、ファックス通信機能、スキャナ機能を備えた複合機１０を例に説明したが、本発明は、例えば、複写機能とファクシミリ機能などの少なくとも２種以上の情報処理機能を備えた情報処理装置に適用することができる。
【図面の簡単な説明】
【００８３】
【図１】本実施の形態に適用した複合機の要部の斜視図である。
【図２】複合機に設けられる制御部の要部の構成図である。
【図３】情報処理機能ごとの設定値の一部を示す図表である。
【図４】第１の実施の形態でジョブメモリの指定に用いる表示画面の一例を示す構成図である。
【図５】（Ａ）はメインメニューの一例を示す構成図、（Ｂ）は設定値として初期値が設定されたスキャナモードの操作画面の一例を示す構成図、（Ｃ）は（Ｂ）から設定値としてジョブメモリの設定値が設定されたスキャナモードの操作画面の一例を示す構成図である。
【図６】第１の実施の形態に係る画像処理の一例を示す流れ図である。
【図７】（Ａ）から（Ｃ）はそれぞれ確認画面の適用例を示す構成図である。
【図８】第２の実施の形態に係る画像処理の一例を示す流れ図である。
【図９】（Ａ）はジョブメモリの読み出しに用いるメニュー画面の一例を示す構成図、（Ｂ）はジョブメモリの指定に用いる表示画面の一例を示す構成図である。
【図１０】（Ａ）及び（Ｂ）は確認画面の適用例を示す構成図である。
【図１１】設定値としてジョブメモリの設定値が設定されたファクシミリモードの操作画面の一例を示す構成図である。
【符号の説明】
【００８４】
１０    複合機（情報処理装置）
１４    原稿読取部（情報処理手段）
１６    画像形成部（情報処理手段）
２２    ユーザインターフェイス
２４    ディスプレイ
２６    ハードウェアキー
３０    制御部（情報処理手段、検出手段、設定手段、実行条件指定手段、情報処理機能指定手段）
４４    操作入力検出部（検出手段）
４８    画像形成制御部（情報処理手段）
５２    ネットワークインターフェイス部（情報処理手段）
５６    ファクシミリインターフェイス部（情報処理手段）
６０、６０Ａ    ＧＵＩ（実行条件指定手段）
６４    ＧＵＩ
７２、９２    ＧＵＩ
７８、７８Ａ、８２    ＧＵＩ
８４    ＧＵＩ
８８    ＧＵＩ（情報処理機能指定手段）
【図１】
2010157890.tif 000003
【図２】
2010157890.tif 000004
【図３】
2010157890.tif 000005
【図４】
2010157890.tif 000006
【図５】
2010157890.tif 000007
【図６】
2010157890.tif 000008
【図７】
2010157890.tif 000009
【図８】
2010157890.tif 000010
【図９】
2010157890.tif 000011
【図１０】
2010157890.tif 000012
【図１１】
2010157890.tif 000013